(57)【要約】【課題】第１のフロー図上で、業務を構成する第１の活動と、第２のフロー図においてその第１の活動と関連する第２の活動と対応付けて示される統制要素とを視認できるようにする。【解決手段】サーバー装置は、記憶部に記憶されている活動対応テーブルに基づいて、統合フロー図の活動に対応する個別フロー図の活動を関連活動として特定する。続いて、サーバー装置は、関連活動として特定された個別フロー図の活動に対応する統制要素として、個別フロー図において特定された活動と対応付けて表される統制要素を特定する。続いて、サーバー装置は、統合フロー図において活動を表す部品画像と対応する位置に、その活動の関連活動である個別フロー図の活動に対応する統制要素として特定された統制要素を表す部品画像を配置し、統制要素を表す部品画像が配置された統合フロー図を表す画像データを出力する。【選択図】図１９
2011028334.tif 000002
【特許請求の範囲】
【請求項１】
複数の第１の活動により構成される業務の流れを表し、各々の当該第１の活動を表す第１の活動画像が配置された第１のフロー図のデータと、複数の第２の活動により構成される業務の流れを表し、各々の当該第２の活動を表す第２の活動画像と、当該第２の活動に関するリスク、コントロール又は資産の少なくとも１つを含む統制要素を表す統制要素画像とが対応付けて配置された第２のフロー図のデータとを記憶し、前記第１の活動を示す第１の活動情報と、当該第１の活動と関連する第２の活動を示す第２の活動情報とを対応付けて記憶する記憶手段と、
前記第１の活動の関連活動として、当該第１の活動を示す第１の活動情報と対応付けて前記記憶手段に記憶されている第２の活動情報が示す第２の活動を特定する関連活動特定手段と、
前記関連活動特定手段により前記第１の活動の関連活動として特定された第２の活動に対応する統制要素として、前記第２のフロー図において当該第２の活動を表す第２の活動画像と対応付けて配置された統制要素画像が表す統制要素を特定する統制要素特定手段と、
前記第１のフロー図において前記第１の活動を表す第１の活動画像と対応する位置に、前記統制要素特定手段により当該第１の活動の関連活動である第２の活動に対応する統制要素として特定された統制要素を表す統制要素画像を配置し、当該統制要素画像が配置された第１のフロー図を表す画像データを出力する第１の出力手段と
を備えることを特徴とする情報処理装置。
【請求項２】
前記第２のフロー図は複数あり、
前記関連活動特定手段は、前記第１の活動の関連活動として、当該第１の活動を示す第１の活動情報と対応付けて前記記憶手段に記憶されている第２の活動情報が示す第２の活動のうち、選択された第２のフロー図が示す第２の活動を特定する
ことを特徴とする請求項１に記載の情報処理装置。
【請求項３】
前記記憶手段は、前記第１の活動の属性を表す第１の活動属性情報と前記第２の活動の属性を表す第２の活動属性情報とを記憶し、
前記記憶手段に記憶されている前記第１の活動属性情報及び前記第２の活動属性情報に基づいて、前記第１の活動と対応する属性を有する第２の活動を特定し、特定した当該第２の活動を示す第２の活動情報を、当該第１の活動を示す第１の活動情報と対応付けて当該記憶手段に書き込む書込手段を備える
ことを特徴とする請求項１又は２に記載の情報処理装置。
【請求項４】
前記統制要素画像が配置された第１のフロー図において、複数の統制要素の集約が指示されると、当該第１のフロー図に配置されている当該複数の統制要素を表す統制要素画像に代えて、当該複数の統制要素を集約した統制要素を表す統制要素画像を配置し、当該統制要素画像が配置された第１のフロー図を表す画像データを出力する第２の出力手段と、
前記記憶手段に記憶されている第２のフロー図のデータを書き換えて、前記第２のフロー図に配置されている前記集約が指示された統制要素を表す統制要素画像に代えて、前記集約した統制要素を表す統制要素画像を配置する第１の書換手段とを備える
ことを特徴とする請求項１から３のいずれか１項に記載の情報処理装置。
【請求項５】
前記統制要素画像が配置された第１のフロー図において、前記第１の活動が指定されて当該第１の活動に対応する新たな統制要素の追加が指示されると、当該第１のフロー図に配置されている当該第１の活動を表す第１の活動画像に対応する位置に、当該新たな統制要素を表す統制要素画像を配置し、当該統制要素画像が配置された第１のフロー図を表す画像データを出力する第３の出力手段と、
前記記憶手段に記憶されている第２のフロー図のデータを書き換えて、前記第２のフロー図に配置されている、前記指定された第１の活動の関連活動として前記関連活動特定手段により特定された第２の活動を表す第２の活動画像と対応する位置に、前記新たな統制要素を表す統制要素画像を配置する第２の書換手段とを備える
ことを特徴とする請求項１から４のいずれか１項に記載の情報処理装置。
【請求項６】
前記統制要素画像が配置された第１のフロー図において、統制要素の削除が指示されると、当該第１のフロー図に配置されている当該統制要素を表す統制要素画像を削除し、当該統制要素画像が削除された第１のフロー図を表す画像データを出力する第４の出力手段と、
前記記憶手段に記憶されている第２のフロー図のデータを書き換えて、前記第２のフロー図に配置されている前記削除が指示された統制要素を表す統制要素画像を削除する第３の書換手段とを備える
ことを特徴とする請求項１から５のいずれか１項に記載の情報処理装置。
【請求項７】
請求項１〜６のいずれか１項に記載の情報処理装置と、
前記出力手段から出力された画像データを取得し、取得した当該画像データが表す第１のフロー図を表示する表示装置と
を備えることを特徴とするフロー図表示システム。
【請求項８】
コンピュータを、
複数の第１の活動により構成される業務の流れを表し、各々の当該第１の活動を表す第１の活動画像が配置された第１のフロー図のデータと、複数の第２の活動により構成される業務の流れを表し、各々の当該第２の活動を表す第２の活動画像と、当該第２の活動に関するリスク、コントロール又は資産の少なくとも１つを含む統制要素を表す統制要素画像とが対応付けて配置された第２のフロー図のデータとを記憶し、前記第１の活動を示す第１の活動情報と、当該第１の活動と関連する第２の活動を示す第２の活動情報とを対応付けて記憶する記憶手段と、
前記第１の活動の関連活動として、当該第１の活動を示す第１の活動情報と対応付けて前記記憶手段に記憶されている第２の活動情報が示す第２の活動を特定する関連活動特定手段と、
前記関連活動特定手段により前記第１の活動の関連活動として特定された第２の活動に対応する統制要素として、前記第２のフロー図において当該第２の活動を表す第２の活動画像と対応付けて配置された統制要素画像が表す統制要素を特定する統制要素特定手段と、
前記第１のフロー図において前記第１の活動を表す第１の活動画像と対応する位置に、前記統制要素特定手段により当該第１の活動の関連活動である第２の活動に対応する統制要素として特定された統制要素を表す統制要素画像を配置し、当該統制要素画像が配置された第１のフロー図を表す画像データを出力する出力手段
として機能させるためのプログラム。
【発明の詳細な説明】
【技術分野】
【０００１】
本発明は、情報処理装置、フロー図表示システム及びプログラムに関する。
【背景技術】
【０００２】
財務内部統制、ＩＳＯ９００１（品質マネジメント）、ＩＳＯ１４００１（環境マネジメント）などのマネジメントシステムの対策では、現状の業務を把握するために、業務の流れを表すフロー図の作成を行う。特許文献１には、品質、労働安全衛生、環境、情報セキュリティ、ＣＳＲのアセスメント項目を有する統合アセスメント・コントロール表が開示されている。また、特許文献２には、財務内部統制に用いられる文書において、各々の活動に関する実施内容、リスク、コントロールを一覧可能に表示する技術が開示されている。
【先行技術文献】
【特許文献】
【０００３】
【特許文献１】特開２００６−１１０９７８号公報
【特許文献２】特開２００８−１７６７６９号公報
【発明の概要】
【発明が解決しようとする課題】
【０００４】
本発明は、第１のフロー図上で、業務を構成する第１の活動と、第２のフロー図においてその第１の活動と関連する第２の活動と対応付けて示される統制要素とを視認できるようにすることを目的とする。
【課題を解決するための手段】
【０００５】
本発明の請求項１に係る情報処理装置は、複数の第１の活動により構成される業務の流れを表し、各々の当該第１の活動を表す第１の活動画像が配置された第１のフロー図のデータと、複数の第２の活動により構成される業務の流れを表し、各々の当該第２の活動を表す第２の活動画像と、当該第２の活動に関するリスク、コントロール又は資産の少なくとも１つを含む統制要素を表す統制要素画像とが対応付けて配置された第２のフロー図のデータとを記憶し、前記第１の活動を示す第１の活動情報と、当該第１の活動と関連する第２の活動を示す第２の活動情報とを対応付けて記憶する記憶手段と、前記第１の活動の関連活動として、当該第１の活動を示す第１の活動情報と対応付けて前記記憶手段に記憶されている第２の活動情報が示す第２の活動を特定する関連活動特定手段と、前記関連活動特定手段により前記第１の活動の関連活動として特定された第２の活動に対応する統制要素として、前記第２のフロー図において当該第２の活動を表す第２の活動画像と対応付けて配置された統制要素画像が表す統制要素を特定する統制要素特定手段と、前記第１のフロー図において前記第１の活動を表す第１の活動画像と対応する位置に、前記統制要素特定手段により当該第１の活動の関連活動である第２の活動に対応する統制要素として特定された統制要素を表す統制要素画像を配置し、当該統制要素画像が配置された第１のフロー図を表す画像データを出力する第１の出力手段とを備えることを特徴とする。
【０００６】
本発明の請求項２に係る情報処理装置は、請求項１に記載の構成において、前記第２のフロー図は複数あり、前記関連活動特定手段は、前記第１の活動の関連活動として、当該第１の活動を示す第１の活動情報と対応付けて前記記憶手段に記憶されている第２の活動情報が示す第２の活動のうち、選択された第２のフロー図が示す第２の活動を特定することを特徴とする。
【０００７】
本発明の請求項３に係る情報処理装置は、請求項１又は２に記載の構成において、前記記憶手段は、前記第１の活動の属性を表す第１の活動属性情報と前記第２の活動の属性を表す第２の活動属性情報とを記憶し、前記記憶手段に記憶されている前記第１の活動属性情報及び前記第２の活動属性情報に基づいて、前記第１の活動と対応する属性を有する第２の活動を特定し、特定した当該第２の活動を示す第２の活動情報を、当該第１の活動を示す第１の活動情報と対応付けて当該記憶手段に書き込む書込手段を備えることを特徴とする。
【０００８】
本発明の請求項４に係る情報処理装置は、請求項１から３のいずれか１項に記載の構成において、前記統制要素画像が配置された第１のフロー図において、複数の統制要素の集約が指示されると、当該第１のフロー図に配置されている当該複数の統制要素を表す統制要素画像に代えて、当該複数の統制要素を集約した統制要素を表す統制要素画像を配置し、当該統制要素画像が配置された第１のフロー図を表す画像データを出力する第２の出力手段と、前記記憶手段に記憶されている第２のフロー図のデータを書き換えて、前記第２のフロー図に配置されている前記集約が指示された統制要素を表す統制要素画像に代えて、前記集約した統制要素を表す統制要素画像を配置する第１の書換手段とを備えることを特徴とする。
【０００９】
本発明の請求項５に係る情報処理装置は、請求項１から４のいずれか１項に記載の構成において、前記統制要素画像が配置された第１のフロー図において、前記第１の活動が指定されて当該第１の活動に対応する新たな統制要素の追加が指示されると、当該第１のフロー図に配置されている当該第１の活動を表す第１の活動画像に対応する位置に、当該新たな統制要素を表す統制要素画像を配置し、当該統制要素画像が配置された第１のフロー図を表す画像データを出力する第３の出力手段と、前記記憶手段に記憶されている第２のフロー図のデータを書き換えて、前記第２のフロー図に配置されている、前記指定された第１の活動の関連活動として前記関連活動特定手段により特定された第２の活動を表す第２の活動画像と対応する位置に、前記新たな統制要素を表す統制要素画像を配置する第２の書換手段とを備えることを特徴とする。
【００１０】
本発明の請求項６に係る情報処理装置は、請求項１から５のいずれか１項に記載の構成において、前記統制要素画像が配置された第１のフロー図において、統制要素の削除が指示されると、当該第１のフロー図に配置されている当該統制要素を表す統制要素画像を削除し、当該統制要素画像が削除された第１のフロー図を表す画像データを出力する第４の出力手段と、前記記憶手段に記憶されている第２のフロー図のデータを書き換えて、前記第２のフロー図に配置されている前記削除が指示された統制要素を表す統制要素画像を削除する第３の書換手段とを備えることを特徴とする。
【００１１】
本発明の請求項７に係るフロー図表示システムは、請求項１〜６のいずれか１項に記載の情報処理装置と、前記出力手段から出力された画像データを取得し、取得した当該画像データが表す第１のフロー図を表示する表示装置とを備えることを特徴とする。
【００１２】
本発明の請求項８に係るプログラムは、コンピュータを、複数の第１の活動により構成される業務の流れを表し、各々の当該第１の活動を表す第１の活動画像が配置された第１のフロー図のデータと、複数の第２の活動により構成される業務の流れを表し、各々の当該第２の活動を表す第２の活動画像と、当該第２の活動に関するリスク、コントロール又は資産の少なくとも１つを含む統制要素を表す統制要素画像とが対応付けて配置された第２のフロー図のデータとを記憶し、前記第１の活動を示す第１の活動情報と、当該第１の活動と関連する第２の活動を示す第２の活動情報とを対応付けて記憶する記憶手段と、前記第１の活動の関連活動として、当該第１の活動を示す第１の活動情報と対応付けて前記記憶手段に記憶されている第２の活動情報が示す第２の活動を特定する関連活動特定手段と、前記関連活動特定手段により前記第１の活動の関連活動として特定された第２の活動に対応する統制要素として、前記第２のフロー図において当該第２の活動を表す第２の活動画像と対応付けて配置された統制要素画像が表す統制要素を特定する統制要素特定手段と、前記第１のフロー図において前記第１の活動を表す第１の活動画像と対応する位置に、前記統制要素特定手段により当該第１の活動の関連活動である第２の活動に対応する統制要素として特定された統制要素を表す統制要素画像を配置し、当該統制要素画像が配置された第１のフロー図を表す画像データを出力する出力手段として機能させるためのプログラムである。
【発明の効果】
【００１３】
請求項１に係る発明によれば、第１のフロー図上で、業務を構成する第１の活動と、第２のフロー図においてその第１の活動と関連する第２の活動と対応付けて示される統制要素とを視認できるようにすることができる。
請求項２に係る発明によれば、第１のフロー図上で、業務を構成する第１の活動と、選択された第２のフロー図においてその第１の活動と関連する第２の活動と対応付けて示される統制要素とを視認できるようにすることができる。
請求項３に係る発明によれば、利用者の操作によらず、第１の活動と、その第１の活動に関連する第２の活動とを対応付けることができる。
請求項４に係る発明によれば、第１のフロー図上で複数の統制要素を集約できるとともに、その内容を第２のフロー図に反映することができる。
請求項５に係る発明によれば、第１のフロー図上に新たな統制要素を追加できるとともに、その内容を第２のフロー図に反映することができる。
請求項６に係る発明によれば、第１のフロー図上で統制要素を削除できるとともに、その内容を第２のフロー図に反映することができる。
請求項７に係る発明によれば、第１のフロー図上で、業務を構成する第１の活動と、第２のフロー図においてその第１の活動と関連する第２の活動と対応付けて示される統制要素とを視認できるようにすることができる。
請求項８に係る発明によれば、第１のフロー図上で、業務を構成する第１の活動と、第２のフロー図においてその第１の活動と関連する第２の活動と対応付けて示される統制要素とを視認できるようにすることができる。
【図面の簡単な説明】
【００１４】
【図１】実施形態に係るフロー図作成支援システムの構成を示す図。
【図２】サーバー装置の構成を示すブロック図。
【図３】クライアント装置の構成を示すブロック図。
【図４】統合フロー図の一例を示す図。
【図５】統合フロー図の一部を拡大して示す図。
【図６】Ｊ−ＳＯＸの個別フロー図の一例を示す図。
【図７】ＥＭＳの個別フロー図の一例を示す図。
【図８】Ｊ−ＳＯＸのリスク属性情報の一例を示す図。
【図９】ＥＭＳのリスク属性情報の一例を示す図。
【図１０】リスク属性情報の入力画面の一例を示す図。
【図１１】リスク属性情報の入力画面の一例を示す図。
【図１２】Ｊ−ＳＯＸのコントロール属性情報の一例を示す図。
【図１３】ＥＭＳのコントロール属性情報の一例を示す図。
【図１４】コントロール属性情報の入力画面の一例を示す図。
【図１５】コントロール属性情報の入力画面の一例を示す図。
【図１６】活動対応テーブルの一例を示す図。
【図１７】フロー図作成支援システムの機能構成を示す図。
【図１８】活動対応テーブルの作成処理を説明する図。
【図１９】統制要素の配置処理を示すシーケンス図。
【図２０】統合リスク属性情報の一例を示す図。
【図２１】統合コントロール属性情報の一例を示す図。
【図２２】統合フロー図に統制要素を表す部品画像が配置された様子を示す図。
【図２３】統制要素の集約処理を説明する図。
【図２４】集約後の統合コントロール属性情報の一例を示す図。
【図２５】統制要素の追加処理を説明する図。
【図２６】統制要素の削除処理を説明する図
【図２７】変形例に係る個別フロー図の活動候補の表示の一例を示す図。
【発明を実施するための形態】
【００１５】
［構成］
図１は、本実施形態に係るフロー図作成支援システム１の構成を示す図である。フロー図作成支援システム１は、本発明に係るフロー図表示システムの一例である。同図に示すように、フロー図作成支援システム１は、サーバー装置１０と、複数のクライアント装置２０とを備えている。サーバー装置１０と各々のクライアント装置２０とは、ＬＡＮ（Local Area Network）などの通信回線Ｎを介して接続されている。
【００１６】
（サーバー装置の構成）
図２は、サーバー装置１０の構成を示すブロック図である。サーバー装置１０は、本発明に係る情報処理装置の一例である。同図に示すように、サーバー装置１０は、ＣＰＵ（Central Processing Unit）１１と、メモリー１２と、通信部１３と、記憶部１４とを備えている。ＣＰＵ１１は、メモリー１２に記憶されているプログラムを実行することにより、サーバー装置１０の各部を制御する。メモリー１２は、例えばＲＯＭ（Read Only Memory）とＲＡＭ（Random Access Memory）とを備えており、ＣＰＵ１１によって実行されるプログラムやデータを記憶する。通信部１３は、通信回線Ｎを介して接続された各クライアント装置２０との通信を確立し、データの送受信を行う。記憶部１４は、例えばハードディスクを備えており、統合フロー図データ４１、複数の個別フロー図データ４２、リスク属性情報４３、コントロール属性情報４４、資産情報４５、活動対応テーブル４６などを記憶する。記憶部１４は、本発明に係る記憶手段の一例である。
【００１７】
（クライアント装置の構成）
図３は、クライアント装置２０の構成を示すブロック図である。クライアント装置２０は、本発明に係る表示装置の一例である。同図に示すように、クライアント装置２０は、ＣＰＵ２１と、メモリー２２と、通信部２３と、記憶部２４と、操作部２５と、表示部２６とを備えている。ＣＰＵ２１は、メモリー２２に記憶されているプログラムを実行することにより、クライアント装置２０の各部を制御する。メモリー２２は、例えばＲＯＭとＲＡＭとを備えており、ＣＰＵ２１によって実行されるプログラムやデータを記憶する。通信部２３は、通信回線Ｎを介して接続されたサーバー装置１０との通信を確立し、データの送受信を行う。記憶部２４は、例えばハードディスクを備えており、各種のデータを記憶する。操作部２５は、例えばマウスとキーボードとを備えており、利用者の操作に応じた操作信号をＣＰＵ２１に入力する。表示部２６は、例えば液晶ディスプレイを備えており、ＣＰＵ２１の制御に応じた画像を表示する。
【００１８】
次に、サーバー装置１０の記憶部１４に記憶されているデータの内容について説明する。
統合フロー図データ４１は、統合的な視点で業務の流れを表す統合フロー図Ｆ０（第１のフロー図の一例）のデータである。図４は、統合フロー図Ｆ０の一例を示す図であり、図５は、この統合フロー図Ｆ０の一部を拡大して示す図である。この統合フロー図Ｆ０には、統合的な視点で見た業務を構成する各活動（第１の活動の一例）を示す複数の部品画像ｈ０（第１の活動画像の一例）が配置されている。例えば、図５には、「仕入管理」という活動を示す部品画像ｈ０が示されている。つまり、統合フロー図データ４１は、複数の第１の活動により構成される業務の流れを表し、各々の第１の活動を表す第１の活動画像が配置された第１のフロー図のデータの一例である。
【００１９】
個別フロー図データ４２は、Ｊ−ＳＯＸやＥＭＳ（Environmental Management System）などの各マネジメントシステムの視点で業務の流れを示す個別フロー図（第２のフロー図の一例）を表すデータである。Ｊ−ＳＯＸとは、日本版ＳＯＸ法のことである。ＥＭＳとは、環境マネジメントシステムのことである。この個別フロー図には、各マネジメントシステムの視点で見た業務を構成する各活動（第２の活動の一例）を示す複数の部品画像（第２の活動画像の一例）と、第２の活動に関する統制要素を表す部品画像（統制要素画像の一例）とが対応付けて配置されている。統制要素とは、内部統制において評価される要素のことであり、リスク、コントロール又は資産の少なくとも１つを含む。リスクとは、財務上の不正を起こす脆弱な処理、手続きのことである。コントロールとは、想定されるリスクに対して、安全性を確保するための制御行為のことである。資産とは、第２の活動において用いられる装置、情報、システムなどの財産のことである。
【００２０】
図６は、Ｊ−ＳＯＸの個別フロー図Ｆ１の一例を示す図である。この図では、Ｊ−ＳＯＸの個別フロー図Ｆ１の一部を拡大して示している。同図に示すように、この個別フロー図Ｆ１では、「活動１Ｊ」を示す部品画像ｈ１と、リスク「Ｒ１ａ」を示す部品画像ｍ１と、コントロール「Ｃ１ａ」を示す部品画像ｎ１とが対応付けて配置されている。また、図７は、ＥＭＳの個別フロー図Ｆ２の一例を示す図である。この図では、ＥＭＳの個別フロー図Ｆ２の一部を拡大して示している。同図に示すように、この個別フロー図Ｆ２では、「活動１Ｅ」を示す部品画像ｈ２と、リスク「Ｒ１ｂ」を示す部品画像ｍ２と、コントロール「Ｃ１ｂ」を示す部品画像ｎ２とが対応付けて配置されている。つまり、個別フロー図データ４２は、複数の第２の活動により構成される業務の流れを表し、各々の第２の活動を表す第２の活動画像と、その第２の活動に関するリスク、コントロール又は資産の少なくとも１つを含む統制要素を表す統制要素画像とが対応付けて配置された第２のフロー図のデータの一例である。
【００２１】
リスク属性情報４３は、上述した個別フロー図の各活動におけるリスクの属性を示す情報である。図８は、Ｊ−ＳＯＸのリスク属性情報４３Ｊの一例を示す図であり、図９は、ＥＭＳのリスク属性情報４３Ｅの一例を示す図である。同図に示すように、リスク属性情報４３には、「リスクＩＤ」と、「共通属性」と、「固有属性」とが対応付けられている。「リスクＩＤ」は、各々のリスクを識別する情報である。「共通属性」は、各マネジメントシステムにおいて共通する属性を示す情報である。「固有属性」は、対象となるマネジメントシステムに固有の属性を示す情報である。例えば、図８に示すＪ−ＳＯＸのリスク属性情報４３Ｊでは、リスクＩＤ「Ｒ１ａ」と、共通属性「リスク内容：オペレータが注文内容の入力を誤る。・・・」と、固有属性「評価影響度：大  発生可能性：低」とが対応付けられている。これは、Ｊ−ＳＯＸの「Ｒ１ａ」というリスクが、各マネジメントシステムに共通する「リスク内容：オペレータが注文内容の入力を誤る。・・・」という属性と、Ｊ−ＳＯＸに固有の「評価影響度：大  発生可能性：低」という属性とを有していることを示している。また、図９に示すＥＭＳのリスク属性情報４３Ｅでは、リスクＩＤ「Ｒ１ｂ」と、共通属性「リスク内容：入力を誤る。・・・」と、固有属性「評価影響度：中  発生可能性：大」とが対応付けられている。これは、ＥＭＳの「Ｒ１ｂ」というリスクが、各マネジメントシステムに共通する「リスク内容：入力を誤る。・・・」という属性と、ＥＭＳに固有の「評価影響度：中  発生可能性：大」という属性とを有することを示している。このリスク属性情報４３は、利用者が図１０〜図１１に示すような入力画面Ｐ１〜Ｐ５に基づいて、クライアント装置２０の操作部２５を操作することにより、入力されるようになっている。そのため、その記述の粒度（レベル）にはばらつきがある。
【００２２】
コントロール属性情報４４は、上述した個別フロー図の各活動におけるコントロールの属性を示す情報である。図１２は、Ｊ−ＳＯＸのコントロール属性情報４４Ｊの一例を示す図であり、図１３は、ＥＭＳのコントロール属性情報４４Ｅの一例を示す図である。同図に示すように、コントロール属性情報４４には、「コントロールＩＤ」と、「共通属性」と、「固有属性」とが対応付けられている。「コントロールＩＤ」は、各々のコントロールを識別する情報である。「共通属性」は、各マネジメントシステムにおいて共通する属性を示す情報である。「固有属性」は、対象となるマネジメントシステムに固有の属性を示す情報である。例えば、図１２に示すＪ−ＳＯＸのコントロール属性情報４４Ｊでは、コントロールＩＤ「Ｃ１ａ」と、共通属性「統制の状況：リーダーが入力内容の確認を行う。・・・」と、固有属性「統制の評価：良」とが対応付けられている。これは、Ｊ−ＳＯＸの「Ｃ１ａ」というコントロールが、各マネジメントシステムに共通する「統制の状況：リーダーが入力内容の確認を行う。・・・」という属性と、Ｊ−ＳＯＸに固有の「統制の評価：良」という属性とを有していることを示している。また、図１３に示すＥＭＳのコントロール属性情報４４Ｅでは、コントロールＩＤ「Ｃ１ｂ」と、共通属性「統制の状況：入力内容の確認を行う。・・・」と、固有属性「統制の評価：やや良」とが対応付けられている。これは、ＥＭＳの「Ｃ１ｂ」というコントロールが、各マネジメントシステムに共通する「統制の状況：入力内容の確認を行う。・・・」という属性と、ＥＭＳに固有の「統制の評価：やや良」という属性とを有することを示している。このコントロール属性情報４４は、利用者が図１４〜図１５に示すような入力画面Ｑ１〜Ｑ５に基づいて、クライアント装置２０の操作部２５を操作することにより、入力されるようになっている。そのため、その記述の粒度にはばらつきがある。
【００２３】
資産情報４５は、上述した個別フロー図の各活動における資産の内容を示す情報である。この資産情報には、「資産ＩＤ」と「共通内容」と「固有内容」とが対応付けられている。「資産ＩＤ」は、各々の資産を識別する情報である。「共通属性」は、各マネジメントシステムにおいて共通する内容を示す情報である。「固有属性」は、対象となるマネジメントシステムに固有の内容を示す情報である。この資産情報４５は、上述したリスク属性情報４３やコントロール属性情報４４と同様に、利用者が入力画面に沿って、クライアント装置２０の操作部２５を操作することにより、入力されるようになっている。そのため、その記述の粒度にはばらつきがある。
【００２４】
活動対応テーブル４６は、統合フロー図Ｆ０の活動と、個別フロー図における関連する活動との対応関係を示す表である。図１６は、活動対応テーブル４６の一例を示す図である。同図に示すように、活動対応テーブル４６では、統合フロー図の活動を識別する情報（第１の活動情報の一例）と、その統合フロー図の活動に関連する個別フロー図の活動を識別する情報（第２の活動情報）とが対応付けられている。例えば、この活動対応テーブル４６では、統合フロー図Ｆ０の「仕入管理」という活動と、Ｊ−ＳＯＸの「活動１Ｊ」及びＥＭＳの「活動１Ｅ」とが対応付けられている。これは、統合フロー図Ｆ０の「仕入管理」という活動と、Ｊ−ＳＯＸの「活動１Ｊ」及びＥＭＳの「活動１Ｅ」とが関連する活動であることを示している。
【００２５】
（機能構成）
次に、フロー図作成支援システム１の機能構成について説明する。図１７は、フロー図作成支援システム１の機能構成を示す図である。サーバー装置１０は、その機能構成として、関連活動特定部１０１と、統制要素特定部１０２と、第１の出力部１０３と、書込部１０４と、第２の出力部１０５と、第１の書換部１０６と、第３の出力部１０７と、第２の書換部１０８と、第４の出力部１０９と、第３の書換部１１０とを備えている。これらの機能構成は、一例としてＣＰＵ１１上で動作するプログラムモジュールによって実現される。なお、これらの機能構成を実現するための構成はＣＰＵ１１上で動作するプログラムモジュールに限らず、例えばＦＰＧＡ（Field Programmable Gate Array）により実現されてもよい。
【００２６】
関連活動特定部１０１は、統合フロー図Ｆ０における第１の活動の関連活動として、記憶部１４に記憶されている活動対応テーブル４６にてその第１の活動と対応付けられた個別フロー図の第２の活動のうち、選択された個別フロー図が示す第２の活動を特定する関連活動特定手段の一例である。統制要素特定部１０２は、関連活動特定部１０１により第１の活動の関連活動として特定された第２の活動に対応する統制要素として、個別フロー図においてその第２の活動を表す部品画像である第２の活動画像と対応付けて配置された、統制要素を表す部品画像である統制要素画像が表す統制要素を特定する統制要素特定手段の一例である。第１の出力部１０３は、統合フロー図Ｆ０において第１の活動を表す第１の活動画像と対応する位置に、統制要素特定部１０２によりその第１の活動の関連活動である第２の活動に対応する統制要素として特定された統制要素を表す統制要素画像を配置し、その統制要素画像が配置された統合フロー図Ｆ０を表す画像データを出力する第１の出力手段の一例である。
【００２７】
書込部１０４は、第１の活動と対応する属性を有する第２の活動を特定し、特定した第２の活動を示す第２の活動情報を、第１の活動を示す第１の活動情報と対応付けて記憶部１４に書き込む書込手段の一例である。第２の出力部１０５は、統制要素画像が配置された統合フロー図Ｆ０において、複数の統制要素の集約が指示されると、統合フロー図Ｆ０に配置されている複数の統制要素を表す統制要素画像に代えて、複数の統制要素を集約した統制要素を表す統制要素画像を配置し、その統制要素画像が配置された統合フロー図Ｆ０を表す画像データを出力する第２の出力手段の一例である。第１の書換部１０６は、記憶部１４に記憶されている個別フロー図データ４２を書き換えて、個別フロー図において集約が指示された統制要素を表す統制要素画像に代えて、集約した統制要素を表す統制要素画像を配置する第１の書換手段の一例である。第３の出力部１０７は、統制要素画像が配置された統合フロー図Ｆ０において、第１の活動が指定されてその第１の活動に対応する新たな統制要素の追加が指示されると、統合フロー図Ｆ０に配置されているその第１の活動を表す第１の活動画像に対応する位置に、新たな統制要素を表す統制要素画像を配置し、その統制要素画像が配置された統合フロー図Ｆ０を表す画像データを出力する第３の出力手段の一例である。第２の書換部１０８は、記憶部１４に記憶されている個別フロー図データ４２を書き換えて、個別フロー図において指定された第１の活動の関連活動として関連活動特定部１０１により特定された第２の活動を表す第２の活動画像と対応する位置に、新たな統制要素を表す統制要素画像を配置する第２の書換手段の一例である。第４の出力部１０９は、統制要素画像が配置された統合フロー図Ｆ０において、統制要素の削除が指示されると、統合フロー図Ｆ０においてその統制要素を表す統制要素画像を削除し、その統制要素画像が削除された統合フロー図Ｆ０を表す画像データを出力する第４の出力手段の一例である。第３の書換部１１０は、記憶部１４に記憶されている個別フロー図データ４２を書き換えて、個別フロー図において削除が指示された統制要素を表す統制要素画像を削除する第３の書換手段の一例である。クライアント装置２０は、サーバー装置１０の第１の出力部１０３，第２の出力部１０５，第３の出力部１０７，第４の出力部１０９から出力された画像データを取得し、取得した画像データが表す統合フロー図Ｆ０を表示する。
【００２８】
［動作］
次に、本実施形態に係るフロー図作成支援システム１の動作について説明する。
（活動対応テーブルの作成処理）
まず、上述した活動対応テーブル４６を作成する処理について説明する。ここでは、統合フロー図Ｆ０の「仕入管理」という活動に対して、Ｊ−ＳＯＸの「活動１Ｊ」と、ＥＭＳの「活動１Ｅ」とを関連付ける場合を想定する。この場合、クライアント装置２０のＣＰＵ２１は、サーバー装置１０の記憶部１４に記憶されている統合フロー図データ４１、Ｊ−ＳＯＸの個別フロー図データ４２及びＥＭＳの個別フロー図データ４２を通信部２３により取得する。続いて、ＣＰＵ１１は、取得した統合フロー図データ４１、Ｊ−ＳＯＸの個別フロー図データ４２及びＥＭＳの個別フロー図データ４２に基づいて、図１８に示すように統合フロー図Ｆ０、Ｊ−ＳＯＸの個別フロー図Ｆ１及びＥＭＳの個別フロー図Ｆ２を表示部２６に表示させる。
【００２９】
続いて、利用者は、操作部２５のマウスを操作して、Ｊ−ＳＯＸの個別フロー図Ｆ１における「活動１Ｊ」の部品画像ｈ１と、ＥＭＳの個別フロー図Ｆ２における「活動１Ｅ」の部品画像ｈ２とを、ドラッグアンドドロップで統合フロー図Ｆ０の「仕入管理」の部品画像ｈ０へと移動させる。操作部２５が操作されると、ＣＰＵ２１は、その操作内容を通信部２３によりサーバー装置１０に供給する。この場合、サーバー装置１０のＣＰＵ１１は、記憶部１４に記憶されている活動対応テーブル４６の「仕入管理」を示す情報に対応付けて、Ｊ−ＳＯＸの「活動１Ｊ」を示す情報及びＥＭＳの「活動１Ｅ」を示す情報を書き込む。このようにして、図１６に示した活動対応テーブル４６が作成される。
【００３０】
（統制要素の配置処理）
次に、統合フロー図Ｆ０上に、リスク、コントロール、資産などの統制要素を配置する処理について説明する。図１９は、この統制要素の配置処理を示すシーケンス図である。まず、クライアント装置２０のＣＰＵ２１は、サーバー装置１０の記憶部１４に記憶されている統合フロー図データ４１を通信部２３により取得し、取得した統合フロー図データ４１に基づいて、図４に示すような統合フロー図Ｆ０を表示部２６に表示させる。この統合フロー図Ｆ０には、Ｊ−ＳＯＸやＥＭＳなどの各マネジメントシステムの選択を受け付けるチェックボックスｄが配置されている。利用者は、操作部２５を操作して、統制要素を配置したいマネジメントシステムを選択する。ここでは、利用者の操作により、Ｊ−ＳＯＸとＥＭＳとが選択された場合を想定する。操作部２５が操作されると、ＣＰＵ２１は、利用者によるマネジメントシステムの選択を受け付ける（ステップＳ１１）。そして、ＣＰＵ２１は、操作部２５の操作内容を通信部２３によりサーバー装置１０に供給する。
【００３１】
この場合、サーバー装置１０のＣＰＵ１１は、記憶部１４に記憶されている活動対応テーブル４６に基づいて、統合フロー図Ｆ０の活動に対応するＪ−ＳＯＸ，ＥＭＳの活動を関連活動として特定する（ステップＳ１２）。例えば、統合フロー図Ｆ０の「仕入活動」については、図１６に示す活動対応テーブル４６において「仕入活動」と対応付けられているＪ−ＳＯＸの「活動１Ｊ」とＥＭＳの「活動１Ｅ」とが関連活動として特定される。つまり、ＣＰＵ１１は、第１の活動の関連活動として、その第１の活動を示す第１の活動情報と対応付けて記憶部１４に記憶されている第２の活動情報が示す第２の活動を特定する。このとき、ＣＰＵ１１は、第１の活動を示す第１の活動情報と対応付けて記憶部１４に記憶されている第２の活動情報が示す第２の活動のうち、選択されたマネジメントシステムの第２のフロー図が示す第２の活動を特定する。
【００３２】
続いて、ＣＰＵ１１は、選択されたマネジメントシステムの個別フロー図において、関連活動として特定された活動に対応付けて表されている統制要素を特定する（ステップＳ１３）。例えば、Ｊ−ＳＯＸの「活動１Ｊ」については、図６に示すＪ−ＳＯＸの個別フロー図Ｆ１において、「活動１Ｊ」の部品画像ｈ１と、リスク「Ｒ１ａ」の部品画像ｍ１と、コントロール「Ｃ１ａ」の部品画像ｎ１とが対応付けて配置されているため「Ｒ１ａ」というリスクと、「Ｃ１ａ」というコントロールとが特定される。また、ＥＭＳの「活動１Ｅ」については、図７に示すＥＭＳの個別フロー図Ｆ２において、「活動１Ｅ」の部品画像ｈ２と、リスク「Ｒ１ｂ」の部品画像ｍ２と、コントロール「Ｃ１ｂ」の部品画像ｎ２とが対応付けて配置されているため「Ｒ１ｂ」というリスクと、「Ｃ１ｂ」というコントロールとが特定される。つまり、ＣＰＵ１１は、第１の活動の関連活動として特定された第２の活動に対応する統制要素として、第２のフロー図においてその第２の活動を表す第２の活動画像と対応付けて配置された統制要素画像が表す統制要素を特定する。
【００３３】
続いて、ＣＰＵ１１は、記憶部１４に記憶されているリスク属性情報４３，コントロール属性情報４４，資産情報４５から、特定した統制要素に関する情報を抽出する（ステップＳ１４）。この例では、ＣＰＵ１１は、図８に示したＪ−ＳＯＸのリスク属性情報４３Ｊから、リスクＩＤ「Ｒ１ａ」、共通属性「リスク内容：オペレータが注文内容の入力を誤る。・・・」及び固有属性「評価影響度：大  発生可能性：低」を抽出する。また、ＣＰＵ１１は、図９に示したＥＭＳのリスク属性情報４３Ｅから、リスクＩＤ「Ｒ１ｂ」、共通属性「リスク内容：入力を誤る。・・・」及び固有属性「評価影響度：中  発生可能性：大」を抽出する。同様に、ＣＰＵ１１は、図１２に示したＪ−ＳＯＸのコントロール属性情報４４Ｊから、コントロールＩＤ「Ｃ１ａ」、共通属性「統制の状況：リーダーが入力内容の確認を行う。・・・」及び固有属性「統制の評価：良」を抽出する。また、ＣＰＵ１１は、図１３に示したＥＭＳのコントロール属性情報４４Ｅから、コントロールＩＤ「Ｃ１ｂ」、共通属性「統制の状況：入力内容の確認を行う。・・・」及び固有属性「統制の評価：やや良」を抽出する。
【００３４】
続いて、ＣＰＵ１１は、抽出した情報をリスク、コントロール、資産毎に結合して、統合リスク属性情報４７，統合コントロール属性情報４８，統合資産情報４９を作成する（ステップＳ１５）。図２０は、このとき作成される統合リスク属性情報４７の一例を示す図である。同図に示すように、この統合リスク属性情報４７では、Ｊ−ＳＯＸのリスク属性情報４３Ｊから抽出されたリスクＩＤ「Ｒ１ａ」、共通属性「リスク内容：オペレータが注文内容の入力を誤る。・・・」及び固有属性「評価影響度：大  発生可能性：低」と、対象マネジメントシステム「Ｊ−ＳＯＸ」とが対応付けられている。また、この統合リスク属性情報４７では、ＥＭＳのリスク属性情報４３Ｅから抽出されたリスクＩＤ「Ｒ１ｂ」、共通属性「リスク内容：入力を誤る。・・・」及び固有属性「評価影響度：中  発生可能性：大」と、対象マネジメントシステム「ＥＭＳ」とが対応付けられている。図２１は、このとき作成される統合コントロール属性情報４８の一例を示す図である。同図に示すように、この統合コントロール属性情報４８では、Ｊ−ＳＯＸのコントロール属性情報４４Ｊから抽出されたコントロールＩＤ「Ｃ１ａ」、共通属性「統制の状況：リーダーが入力内容の確認を行う。・・・」及び固有属性「統制の評価：良」と、対象マネジメントシステム「Ｊ−ＳＯＸ」とが対応付けられている。また、この統合コントロール属性情報４８では、ＥＭＳのコントロール属性情報４４Ｅから抽出されたコントロールＩＤ「Ｃ１ｂ」、共通属性「統制の状況：入力内容の確認を行う。・・・」及び固有属性「統制の評価：やや良」と、対象マネジメントシステム「ＥＭＳ」とが対応付けられている。
【００３５】
続いて、ＣＰＵ１１は、統合フロー図Ｆ０に配置された各活動を示す部品画像ｈ０に対応付けて、Ｊ−ＳＯＸ，ＥＭＳの関連活動に対応付けて表されている統制要素を表す部品画像を配置する（ステップＳ１６）。この例では、図２２に示すように、「仕入管理」の部品画像ｈ０に対応付けて、リスク「Ｒ１ａ」の部品画像ｍ１と、リスク「Ｒ１ｂ」の部品画像ｍ２と、コントロール「Ｃ１ａ」の部品画像ｎ１と、コントロール「Ｃ１ｂ」の部品画像ｎ２とが配置される。このとき、Ｊ−ＳＯＸの統制要素であるリスク「Ｒ１ａ」の部品画像ｍ１及びコントロール「Ｃ１ａ」の部品画像ｎ１と、ＥＭＳの統制要素であるリスク「Ｒ１ｂ」の部品画像ｍ２及びコントロール「Ｃ１ｂ」の部品画像ｎ２とは、異なる色で表現される。そして、ＣＰＵ１１は、統制要素を表す部品画像が配置された統合フロー図Ｆ０を表す画像データを通信部１３からクライアント装置２０に送信する。つまり、ＣＰＵ１１は、第１のフロー図において第１の活動を表す第１の活動画像と対応する位置に、その第１の活動の関連活動である第２の活動に対応する統制要素として特定された統制要素を表す統制要素画像を配置し、統制要素画像が配置された第１のフロー図を表す画像データを出力する。クライアント装置２０のＣＰＵ２１は、サーバー装置１０から送信されてきた画像データを通信部２３により受信し、受信した画像データが表す統合フロー図Ｆ０を表示部２６に表示させる（ステップＳ１７）。つまり、クライアント装置２０は、サーバー装置１０から出力された画像データを取得し、取得した画像データが表す第１のフロー図を表示する。図２２に示すように、この統合フロー図Ｆ０では、統合フロー図Ｆ０の活動と、その活動の関連活動に関する統制要素とが対応付けて表示されている。
【００３６】
ここで、利用者が操作部２５を操作して、統合フロー図Ｆ０に配置されている統制要素を示す部品画像を選択すると、その統制要素の詳細が表示されるようになっている。例えば、利用者が、操作部２５を操作して、統合フロー図Ｆ０に配置されているリスク「Ｒ１ａ」の部品画像ｍ１を選択すると、記憶部１４に記憶されている統合リスク属性情報４７において、リスクＩＤ「Ｒ１ａ」に対応付けられた「共通属性」又は「固有属性」の少なくともいずれかが表示される。
【００３７】
（統制要素の集約処理）
次に、統合フロー図Ｆ０上に表示されている統制要素を１つに集約する処理について説明する。図２３は、統制要素の集約処理を説明する図である。ここでは、統合フロー図Ｆ０におけるＪ−ＳＯＸの「Ｃ１ａ」というコントロールと、ＥＭＳの「Ｃ１ｂ」というコントロールとが類似するコントロールであり、これらのコントロールを１つに集約する場合を想定する。この場合、利用者は、操作部２５のマウスを操作して、コントロール「Ｃ１ａ」の部品画像ｎ１と、コントロール「Ｃ１ｂ」の部品画像ｎ２とをドラッグアンドドロップで重ねる。操作部２５が操作されると、ＣＰＵ２１は、その操作内容を通信部２３によりサーバー装置１０に供給する。この場合、サーバー装置１０のＣＰＵ１１は、記憶部１４に記憶されている統合コントロール属性情報４８において、コントロールＩＤ「Ｃ１ａ」に対応付けられた情報と、コントロールＩＤ「Ｃ１ｂ」に対応付けられた情報とを集約する。具体的には、ＣＰＵ１１は、「コントロールＩＤ」については、新たなコントロールＩＤを割り当てる。また、「共通属性」については、コントロールＩＤ「Ｃ１ａ」又は「Ｃ１ｂ」のいずれかに対応付けられたものを選択する。この選択方法としては、例えば文字数が多いものを選択してもよいし、更新日時が最新のものを選択してもよい。あるいは、予め決められた優先度が高いマネジメントシステムに対応するものを選択してもよい。「対象マネジメントシステム」については、コントロールＩＤ「Ｃ１ａ」に対応付けられたものと、コントロールＩＤ「Ｃ１ｂ」に対応付けられたものとを合わせる。「固有属性」については、コントロールＩＤ「Ｃ１ａ」に対応付けられたものと、コントロールＩＤ「Ｃ１ｂ」に対応付けられたものとをそれぞれ記述する。
【００３８】
図２４は、集約後の統合コントロール属性情報４８を示す図である。同図に示すように、この統合コントロール属性情報４８では、集約前のコントロールＩＤ「Ｃ１ａ」及び「Ｃ１ｂ」に代えて、新たなコントロールＩＤ「Ｃ１ａ＋ｂ」が記述されている。なお、ここでは、新たなコントロールＩＤを割り当てているが、コントロールＩＤ「Ｃ１ａ」又は「Ｃ１ｂ」のいずれかを用いてもよい。「共通属性」には、コントロールＩＤ「Ｃ１ａ」に対応付けられた「統制の状況：リーダーが入力内容の確認を行う。・・・」が記述されている。また、「対象マネジメントシステム」には、「Ｊ−ＳＯＸ，ＥＭＳ」が記述されている。「Ｊ−ＳＯＸ固有属性」、「ＥＭＳ固有属性」については、集約前と同じ情報が記述されている。
【００３９】
続いて、ＣＰＵ１１は、図２３に示すように、統合フロー図Ｆ０に配置されているコントロール「Ｃ１ａ」の部品画像ｎ１及びコントロール「Ｃ１ｂ」の部品画像ｎ２に代えて、集約後のコントロール「Ｃ１ａ＋ｂ」を表す部品画像ｎ３を配置する。そして、ＣＰＵ１１は、部品画像ｎ３が配置された統合フロー図Ｆ０を表す画像データを通信部１３からクライアント装置２０に送信する。つまり、ＣＰＵ１１は、統制要素画像が配置された第１のフロー図において、複数の統制要素の集約が指示されると、第１のフロー図に配置されている複数の統制要素を表す統制要素画像に代えて、複数の統制要素を集約した統制要素を表す統制要素画像を配置し、統制要素画像が配置された第１のフロー図を表す画像データを出力する。クライアント装置２０のＣＰＵ２１は、サーバー装置１０から送信されてきた画像データを通信部２３により受信し、受信した画像データが表す統合フロー図Ｆ０（図２３参照）を表示部２６に表示させる。
【００４０】
また、ＣＰＵ１１は、集約後の統合コントロール属性情報４８に基づいて、記憶部１４に記憶されているＪ−ＳＯＸのコントロール属性情報４４Ｊ，ＥＭＳのコントロール属性情報４４Ｅの内容を変更する。具体的には、ＣＰＵ１１は、図１２に示すコントロール属性情報４４ＪのコントロールＩＤ「Ｃ１ａ」を「Ｃ１ａ＋ｂ」に変更する。なお、この例では、「共通属性」の内容については集約後の統合コントロール属性情報４８の内容と同一であるため、変更されない。また、ＣＰＵ１１は、図１３に示すコントロール属性情報４４ＥのコントロールＩＤ「Ｃ１ｂ」を「Ｃ１ａ＋ｂ」に変更する。また、共通属性「統制の状況：入力内容の確認を行う。・・・」を、集約後の統合コントロール属性情報４８に合わせて、「統制の状況：リーダーが入力内容の確認を行う。・・・」に変更する。
【００４１】
ここで、利用者が操作部２５を操作して、Ｊ−ＳＯＸの個別フロー図Ｆ１又はＥＭＳの個別フロー図Ｆ２を表示部２６に表示させて、この個別フロー図に配置されている統制要素を示す部品画像を選択すると、その統制要素の詳細が表示されるようになっている。例えば、利用者が、操作部２５を操作して、ＥＭＳの個別フロー図Ｆ２に配置されているリスク「Ｃ１ｂ」の部品画像ｎ２を選択すると、記憶部１４に記憶されているＥＭＳのコントロール属性情報４４Ｅにおいて、コントロールＩＤ「Ｃ１ａ＋ｂ」に対応付けられた「共通属性」又は「固有属性」が表示される。
【００４２】
（統制要素の追加処理）
次に、統合フロー図Ｆ０に新たな統制要素を追加する処理について説明する。図２５は、この統制要素の追加処理を説明する図である。ここでは、統合フロー図Ｆ０の「仕入管理」という活動に対して新たなコントロールを追加する場合を想定する。この場合、利用者は、クライアント装置２０の操作部２５を操作して、新たなコントロールの対象となる「仕入管理」という活動を指定するとともに、表示部２６に図１４〜図１５に示すような入力画面Ｑ１〜Ｑ５を表示させて、新たなコントロールの「コントロールＩＤ」，「共通属性」，「対象マネジメントシステム」，「対象マネジメントシステムの固有属性」などの情報を入力する。ここでは、コントロールＩＤとして「Ｃ１ｃ」，対象マネジメントシステムとして「ＥＭＳ」が入力された場合を想定する。操作部２５が操作されると、ＣＰＵ２１は、その操作内容を通信部２３によりサーバー装置１０に供給する。この場合、サーバー装置１０のＣＰＵ１１は、記憶部１４に記憶されている統合コントロール属性情報４８に、操作部２５の操作により入力された情報を追加する。
【００４３】
続いて、ＣＰＵ１１は、図２５に示すように、統合フロー図Ｆ０における「仕入活動」の部品画像ｈ０と対応付けて、コントロール「Ｃ１ｃ」を示す部品画像ｎ４を配置する。そして、ＣＰＵ１１は、コントロール「Ｃ１ｃ」の部品画像ｎ４が追加された統合フロー図Ｆ０を表す画像データを通信部１３からクライアント装置２０に送信する。つまり、ＣＰＵ１１は、統制要素画像が配置された第１のフロー図において、第１の活動が指定されて当該第１の活動に対応する新たな統制要素の追加が指示されると、第１のフロー図に配置されている当該第１の活動を表す第１の活動画像に対応する位置に、新たな統制要素を表す統制要素画像を配置し、その統制要素画像が配置された第１のフロー図を表す画像データを出力する。クライアント装置２０のＣＰＵ２１は、サーバー装置１０から送信されてきた画像データを通信部２３により受信し、受信した画像データが表す統合フロー図Ｆ０（図２５参照）を表示部２６に表示させる。
【００４４】
また、ＣＰＵ１１は、図１２に示すコントロール属性情報４４Ｊに、入力されたコントロールＩＤ「Ｃ１ｃ」，「共通属性」，「固有属性」を追加する。続いて、ＣＰＵ１１は、記憶部１４に記憶されている活動対応テーブル４６に基づいて、統合フロー図Ｆ０の「仕入管理」という活動と対応するＥＭＳの活動を特定する。この例では、図１６に示す活動対応テーブル４６において「仕入活動」と対応付けられているＥＭＳの「活動１Ｅ」が特定される。続いて、ＣＰＵ１１は、記憶部１４に記憶されているＥＭＳの個別フロー図データ４２を書き換えて、ＥＭＳの個別フロー図Ｆ２の内容を変更する。この例では、ＣＰＵ１１は、図２５に示すように、ＥＭＳの個別フロー図Ｆ２の「活動１Ｅ」の部品画像ｈ２に対応付けて、コントロール「Ｃ１ｃ」を示す部品画像ｎ４を配置する。つまり、ＣＰＵ１１は、記憶部１４に記憶されている第２のフロー図のデータを書き換えて、第２のフロー図において、指定された第１の活動の関連活動として特定された第２の活動を表す第２の活動画像と対応する位置に、新たな統制要素を表す統制要素画像を配置する。
【００４５】
（統制要素の削除処理）
次に、統合フロー図Ｆ０に表示されている統制要素を削除する処理について説明する。図２６は、この統制要素の削除処理を説明する図である。ここでは、統合フロー図Ｆ０の「Ｒ１ｂ」というリスクを削除する場合を想定する。この場合、利用者は、クライアント装置２０の操作部２５を操作して、「Ｒ１ｂ」というリスクを削除するよう指示する。操作部２５が操作されると、ＣＰＵ２１は、その操作内容を通信部２３によりサーバー装置１０に供給する。この場合、サーバー装置１０のＣＰＵ１１は、記憶部１４に記憶されている統合リスク属性情報４７から、リスクＩＤ「Ｒ１ｂ」とそれに対応付けられた情報とを削除する。続いて、ＣＰＵ１１は、図２６に示すように、統合フロー図Ｆ０からリスク「Ｒ１ｂ」の部品画像ｍ２を削除する。そして、ＣＰＵ１１は、リスク「Ｒ１ｂ」の部品画像ｍ２が削除された統合フロー図Ｆ０を表す画像データを通信部１３からクライアント装置２０に送信する。つまり、ＣＰＵ１１は、統制要素画像が配置された第１のフロー図において、統制要素の削除が指示されると、第１のフロー図に配置されているその統制要素を表す統制要素画像を削除し、統制要素画像が削除された第１のフロー図を表す画像データを出力する。クライアント装置２０のＣＰＵ２１は、サーバー装置１０から送信されてきた画像データを通信部２３により受信し、受信した画像データが表す統合フロー図Ｆ０（図２６参照）を表示部２６に表示させる。
【００４６】
また、ＣＰＵ１１は、記憶部１４に記憶されているＥＭＳの個別フロー図データ４２を書き換えて、ＥＭＳの個別フロー図Ｆ２の内容を変更する。この例では、ＣＰＵ１１は、図２６に示すように、ＥＭＳの個別フロー図Ｆ２からリスク「Ｒ１ｂ」の部品画像ｍ２を削除する。つまり、ＣＰＵ１１は、記憶部１４に記憶されている第２のフロー図のデータを書き換えて、第２のフロー図に配置されている削除が指示された統制要素を表す統制要素画像を削除する。
【００４７】
［変形例］
以上が実施形態の説明であるが、この実施形態の内容は以下のように変形し得る。また、以下の各変形例を適宜組み合わせてもよい。
（変形例１）
統合フロー図Ｆ０の活動と個別フロー図の活動とを対応付ける操作は、上述した実施形態で説明した操作に限らない。例えば、図２７に示すように、活動対応テーブル４６において統合フロー図Ｆ０の活動に対応付けられた個別フロー図の活動を表示して、利用者が選択できるようにしてもよい。この例では、統合フロー図Ｆ０の「仕入管理」に関連する活動の候補として、Ｊ−ＳＯＸの「活動１Ｊ」と、ＥＭＳの「活動１Ｅ」とが選択可能に表示される。例えば、利用者が、クライアント装置２０の操作部２５を操作して、Ｊ−ＳＯＸの「活動１Ｊ」を選択した場合、サーバー装置１０のＣＰＵ１１は、記憶部１４に記憶されている活動対応テーブル４６の統合フロー図Ｆ０の「仕入管理」を示す情報に対応付けて、Ｊ−ＳＯＸの「活動１Ｊ」を示す情報を書き込む。
【００４８】
（変形例２）
上述した実施形態及び変形例１では、利用者の操作によって、統合フロー図Ｆ０の活動と個別フロー図の活動とを対応付けていたが、サーバー装置１０のＣＰＵ１１が、各々の活動の属性に基づいてこの対応付けを行ってもよい。この場合、サーバー装置１０の記憶部１４には、統合フロー図Ｆ０の活動の属性を表す活動属性情報（第１の活動属性情報の一例）と、個別フロー図の活動の属性を表す活動属性情報（第２の活動属性情報の一例）とが記憶される。この活動の属性としては、例えば活動のタイプ、業務区分、サブシステム、実施主体組織、活動名などが用いられる。続いて、ＣＰＵ１１は、記憶部１４に記憶されている活動属性情報に基づいて、統合フロー図Ｆ０の活動について、その活動と属性の少なくとも１つが合致する個別フロー図の活動を特定する。そして、ＣＰＵ１１は、統合フロー図Ｆ０の活動を示す情報と、特定した個別フロー図の活動を示す情報とを対応付けて活動対応テーブル４６を作成し、記憶部１４に記憶させる。つまり、ＣＰＵ１１は、記憶部１４に記憶されている第１の活動属性情報及び第２の活動属性情報に基づいて、第１の活動と対応する属性を有する第２の活動を特定し、特定した第２の活動を示す第２の活動情報を、第１の活動を示す第１の活動情報と対応付けて記憶部１４に書き込む。
【００４９】
（変形例３）
上述した統合フロー図Ｆ０には、新たなマネジメントシステムの個別フロー図を作成するための新規フロー図作成ボタンが設けられていてもよい。新たなマネジメントシステムの個別フロー図を作成する場合、利用者は、クライアント装置２０の操作部２５を操作して、類似の個別フロー図を有するマネジメントシステムを選択し、新規フロー図作成ボタンを押す。このマネジメントシステムの選択は、例えば図４に示すようなチェックボックスｄにチェックを入れることにより行われる。この場合、サーバー装置１０のＣＰＵ１１は、選択されたマネジメントシステムの個別フロー図を表す画像データを通信部１３からクライアント装置２０に送信する。クライアント装置２０のＣＰＵ２１は、サーバー装置１０から送信されてきたこの画像データを通信部２３により受信し、受信した画像データに応じた個別フロー図を表示部２６に表示させる。利用者は、操作部２５を操作することにより、表示部２６に表示されたフロー図を編集して、新たなマネジメントシステムの個別フロー図を作成する。
また、利用者は、新たなマネジメントシステムの個別フロー図を作成する場合に、マネジメントシステムを複数選択することが可能である。この場合、サーバー装置１０のＣＰＵ１１は、例えば選択された複数のマネジメントシステムの個別フロー図を統合したものを表す画像データをクライアント装置２０に送信する。
【００５０】
（変形例４）
上述した実施形態では、利用者の操作により、統合フロー図Ｆ０上に配置されている複数の統制要素を集約していたが、サーバー装置１０のＣＰＵ１１が、各々の統制要素に関する情報に基づいてこの集約を行ってもよい。この場合、サーバー装置１０のＣＰＵ１１は、記憶部１４に記憶されている統合リスク属性情報４７，統合コントロール属性情報４８又は統合資産情報４９に基づいて、統合フロー図Ｆ０に表示される統制要素のうち、ＩＤや共通属性の少なくとも１つが合致する統制要素を特定し、特定した統制要素を上述と同様にして集約する。
【００５１】
（変形例５）
上述した実施形態では、統合フロー図Ｆ０上に、リスクを示す部品画像、コントロールを示す部品画像及び資産を示す部品画像が全て配置されるようになっていたが、一部の統制要素を示す部品画像だけが配置されるようにしてもよい。この場合、利用者は、クライアント装置２０の操作部２５を操作して、統合フロー図Ｆ０上に表示させる統制要素の種別を選択する。そして、サーバー装置１０のＣＰＵ１１は、統合フロー図Ｆ０に、利用者により選択された種別の統制要素を示す部品画像だけを配置する。
また、統合フロー図Ｆ０において、統合フロー図Ｆ０の活動を示す部品画像と対応付けて、その活動の関連活動を示す部品画像が配置されていてもよい。
【００５２】
（変形例６）
上述した統制要素の集約処理において、ＣＰＵ１１は、記憶部１４に記憶されているＪ−ＳＯＸの個別フロー図データ４２及びＥＭＳの個別フロー図データ４２を書き換えて、Ｊ−ＳＯＸの個別フロー図Ｆ１及びＥＭＳの個別フロー図Ｆ２の内容を変更してもよい。例えば、ＣＰＵ１１は、図２３のＪ−ＳＯＸの個別フロー図Ｆ１に配置されているコントロール「Ｃ１ａ」の部品画像ｎ１に代えて、コントロール「Ｃ１ａ＋ｂ」を示す部品画像ｎ３を配置する。また、ＣＰＵ１１は、ＥＭＳの個別フロー図Ｆ２に配置されているコントロール「Ｃ１ｂ」の部品画像ｎ２に代えて、コントロール「Ｃ１ａ＋ｂ」を示す部品画像ｎ３を配置する。つまり、ＣＰＵ１１は、記憶部１４に記憶されている第２のフロー図のデータを書き換えて、第２のフロー図に配置されている集約が指示された統制要素を表す統制要素画像に代えて、集約した統制要素を表す統制要素画像を配置する。
【００５３】
（変形例７）
上述した実施形態において、サーバー装置１０のＣＰＵ１１又はクライアント装置２０のＣＰＵ２１によって行われる処理は、単一のプログラムによって実現されてもよいし、複数のプログラムによって実現されてもよい。また、サーバー装置１０のＣＰＵ１１又はクライアント装置２０のＣＰＵ２１によって実行される各プログラムは、磁気テープや磁気ディスクなどの磁気記録媒体、光ディスクなどの光記録媒体、光磁気記録媒体、半導体メモリーなどの、コンピュータ装置が読み取り可能な記録媒体に記憶された状態で提供し得る。また、このプログラムを、インターネットなどの通信回線経由でダウンロードさせることも可能である。
【符号の説明】
【００５４】
１…フロー図作成支援システム、１０…サーバー装置、１１…ＣＰＵ、１２…メモリー、１３…通信部、１４…記憶部、２０…クライアント装置，２１…ＣＰＵ、２２…メモリー、２３…通信部、２４…記憶部、２５…操作部、２６…表示部、１０１…関連活動特定部、１０２…統制要素特定部、１０３…第１の出力部、１０４…書込部、１０５…第２の出力部、１０６…第１の書換部、１０７…第３の出力部、１０８…第２の書換部、１０９…第４の出力部、１１０…第３の書換部。
【図１】
2011028334.tif 000003
【図２】
2011028334.tif 000004
【図３】
2011028334.tif 000005
【図４】
2011028334.tif 000006
【図５】
2011028334.tif 000007
【図６】
2011028334.tif 000008
【図７】
2011028334.tif 000009
【図８】
2011028334.tif 000010
【図９】
2011028334.tif 000011
【図１０】
2011028334.tif 000012
【図１１】
2011028334.tif 000013
【図１２】
2011028334.tif 000014
【図１３】
2011028334.tif 000015
【図１４】
2011028334.tif 000016
【図１５】
2011028334.tif 000017
【図１６】
2011028334.tif 000018
【図１７】
2011028334.tif 000019
【図１８】
2011028334.tif 000020
【図１９】
2011028334.tif 000021
【図２０】
2011028334.tif 000022
【図２１】
2011028334.tif 000023
【図２２】
2011028334.tif 000024
【図２３】
2011028334.tif 000025
【図２４】
2011028334.tif 000026
【図２５】
2011028334.tif 000027
【図２６】
2011028334.tif 000028
【図２７】
2011028334.tif 000029